(57)【要約】【課題】自動的に室内横流ファンの埃の除去を行うファン清掃装置を備えた空気調和機の室内機を提供する。【解決手段】本空気調和機の室内機は、室内機本体の空気吸込口と吹出口を連通する送風路に配した横流ファンを清掃するファン清掃装置を備え、このファン清掃装置は、横流ファンのブレードに沿って回転軸方向に移動し、かつこのブレードに付着した埃を除去するファン用埃除去具と、このファン用埃除去具を移動させる移動装置と、室内機本体の一端側に設けられ、横流ファンの一側側面空間に連通する排気装置と、この排気装置に連通する排気ダクトを備え、ファン用埃除去具で除去した埃を、排気装置及び排気ダクトを介して室外に排出する。【選択図】  図３
2008051430.tif 000002
【特許請求の範囲】
【請求項１】
室内機本体の空気吸込口と吹出口を連通する送風路に、エアフィルタ、室内熱交換器、この室内熱交換器の通風２次側に長手方向に沿う横流ファンを配置する空気調和機の室内機において、
前記横流ファンを清掃するファン清掃装置を備え、
このファン清掃装置は、前記横流ファンのブレードに沿って回転軸方向に移動してブレードに付着した埃を除去するファン用埃除去具を有するファン清掃ユニットと、
このファン清掃ユニットを移動させる移動装置と、を備えたことを特徴とする空気調和機の室内機。
【請求項２】
前記送風路に、さらに、エアフィルタ清掃ユニットを備え、
このエアフィルタ清掃ユニットは、前記エアフィルタの埃を除去する挨除去部材を備える挨除去部及び除去した埃を収容する埃収容部を有し、前記横流ファンの回転軸方向に前記エアフィルタの外周面に沿って移動可能に配置される構成を備えると共に、前記ファン清掃ユニットと一体的に構成し、前記駆動装置により、ファン清掃ユニットとエアフィルタ清掃ユニットとを連動して動作させることを特徴とする請求項１に記載の空気調和機の室内機。
【請求項３】
前記ファン清掃ユニットは、ファン清掃動作を行なわない場合は、横流ファンの外側位置に移動、待機させることを特徴とする請求項１または２に記載の空気調和機の室内機。
【請求項４】
前記横流ファンの一側側面空間に連通し、前記ファン用埃除去具で除去した埃を排気ダクトを介して室外に排出させる排気装置を備えたことを特徴とする請求項１に記載の空気調和機の室内機。
【発明の詳細な説明】
【技術分野】
【０００１】
本発明は空気調和機の室内機に係り、特に室内横流ファンのファン清掃装置を備えた空気調和機の室内機に関する。
【背景技術】
【０００２】
空気調和機の室内機を長時間使用すると、室内空気に含まれる埃が室内機本体の空気吸込口と吹出口を連通する送風路に配されたエアフィルタ、室内横流ファンに埃が溜まる。
【０００３】
このため、エアフィルタを設け、被調和空気の挨の除去を行い、エアフィルタに埃が溜まるとエアフィルタ清掃装置を用いて、エアフィルタの清掃を行うようにした空気調和機が、特許文献１に開示されている。
【０００４】
また、上記送風機を構成する横流ファンには、エアフィルタで捕捉されず、エアフィルタを通過した空気中に含まれる微細な埃やカビの胞子が付着し易い。長期間の使用により、横流ファンの表面に埃やカビが付着・堆積し、そのため空調能力が低下して消費電力の増大に繋がる虞がある。
【０００５】
そこで、近年、カビ発生の原因となる本体内の湿気を取除く乾燥運転と、カビの胞子を死滅させるため内部にオゾンを充満させる殺菌運転および、機内に存在する汚れた空気や湿気を外部へ排出する排気運転などを実行する機内クリーン運転を、空気調和運転の終了後に行うようにした空気調和機が、特許文献２に開示されている。
【特許文献１】特開２００２−３４０３９５号公報
【特許文献２】特開２００２−３４９８９１号公報
【発明の開示】
【発明が解決しようとする課題】
【０００６】
上述の特許文献１、特許文献２の技術を採用すれば、長期に亘って機内クリーニングを不要とできる利点がある。ところで、特許文献１によるエアフィルタ清掃装置でエアフィルタ清掃運転を行なうことで、エアフィルタの自動清掃は可能となった。また、ファンに付着するカビの胞子の除去は、本体内部全体にオゾンを充満させることで殺菌がなされるが、実際には、機外へのオゾンの流出を抑え、機内でのオゾン殺菌効果を高めるため、横流ファンを停止状態としてオゾン発生装置を作動させ、本体内部でのオゾン充満を図るようにしている。このため、本体内部の隅々までオゾンを行き渡らせるのに時間を要していた。
【０００７】
また、このような、オゾン殺菌を行わせる機内クリーン運転は、通常の空調運転を停止させたあと、自動的に実行するよう設定されている。しかしながら、停止ボタンを停止した後、さらに空調機が運転状態を所定の長時間（１時間前後）継続するため、ユーザーのなかには、この機内クリーン運転を、空調運転が停止せずそのまま継続しているものと誤解して、クリーン運転の途中で強制的に停止させてしまう場合がある。
【０００８】
機内クリーン運転が充分に行われない状態で、長期間に亘って空気調和機を使用していると、本体内の殺菌が不充分となり、特に、室内熱交換器の後流側に配置される横流ファンに対する殺菌が不充分となる。そのため、使用条件によっては、ファン表面に付着したカビの胞子が繁殖し、微細な埃が付着することで堆積して、送風効率の低下を招く原因となってしまう場合がある。
【０００９】
本発明は上述した事情を考慮してなされたもので、室内機内のスペースを取らずに、短時間で、自動的に室内横流ファンの埃の除去を行うファン清掃装置を備えた空気調和機の室内機を提供することを目的とする。
【００１０】
また、自動的に室内横流ファンの埃の除去を行うファン清掃装置及び自動的にエアフィルタの埃の除去を行うエアフィルタ清掃装置をスペース効率よく設けた空気調和機の室内機を提供することを目的とする。
【課題を解決するための手段】
【００１１】
上述した目的を達成するため、本発明に係る空気調和機の室内機は、室内機本体の空気吸込口と吹出口を連通する送風路に、エアフィルタ、室内熱交換器、この室内熱交換器の通風２次側に長手方向に沿う横流ファンを配置する空気調和機の室内機において、前記横流ファンを清掃するファン清掃装置を備え、このファン清掃装置は、前記横流ファンのブレードに沿って回転軸方向に移動してブレードに付着した埃を除去するファン用埃除去具を有するファン清掃ユニットと、このファン清掃ユニットを移動させる移動装置とを備えたことを特徴とする。
【００１２】
また、本発明に係る空気調和機の室内機は、前記送風路には、前記エアフィルタを清掃するエアフィルタ清掃ユニットが配置され、このエアフィルタ清掃ユニットは、前記送風路に、さらに、エアフィルタ清掃ユニットを備え、このエアフィルタ清掃ユニットは、前記エアフィルタの埃を除去する挨除去部材を備える挨除去部及び除去した埃を収容する埃収容部を有し、前記横流ファンの回転軸方向に前記エアフィルタの外周面に沿って移動可能に配置される構成を備えると共に、前記ファン清掃ユニットと一体的に構成し、前記駆動装置により、ファン清掃ユニットとエアフィルタ清掃ユニットとを連動して動作させることを特徴とする。
【発明の効果】
【００１３】
本発明に係る空気調和機の室内機によれば、自動的に室内送風機を構成する横流ファンの埃の除去を行うファン清掃装置を備えた空気調和機の室内機を提供することができる。
【００１４】
また、本発明に係る空気調和機の室内機によれば、自動的に室内横流ファンの埃の除去を行うファン清掃装置及び自動的にエアフィルタの埃の除去を行うエアフィルタ清掃装置をスペース効率よく設けた空気調和機の室内機を提供することができる。
【発明を実施するための最良の形態】
【００１５】
本発明の第１実施形態に係る空気調和機の室内機について添付図面を参照して説明する。
【００１６】
図１は本発明の第１実施形態に係る空気調和機の室内機の側断面図であり、図２は本発明の第１実施形態に係る空気調和機の前面パネルを外した室内機本体の一部を切欠して示す斜視図であり、図３は本発明の第１実施形態に係る空気調和機の室内機のエアフィルタ清掃ユニット及び埃除去部の側断面斜視図である。
【００１７】
図１〜図３に示すように、本第１実施形態に係る空気調和機の室内機１は、室内機本体２を有し、この室内機本体２には、その前面部に前部吸込口２ａが開口され、上面部には上部吸込口２ｂが開口され、さらに、下部には吹出口２ｃが開口される。
【００１８】
両吸込口２ａ、２ｂと吹出口２ｃを連通する送風路３には、エアフィルタ４、室内熱交換器５、室内送風機を構成する横流ファン６が配され、また、室内機本体２の一端側には、電気部品収納箱１４が配される。
【００１９】
エアフィルタ４はフィルタネットが金属あるいは表面に金属の蒸着がなされ、側面視Ｌ字形状に配置形成されたエアフィルタ垂直部４１とエアフィルタ水平部４２からなり、エアフィルタ垂直部４１は、前部吸込口２ａと室内熱交換器５の一部を構成する前面側熱交換器５ａ間に配され、前部吸込口２ａから吸い込まれる被調和空気に含まれる埃を除去し、エアフィルタ水平部４２は、前部吸込口２ａの一部及び上部吸込口２ｂと室内熱交換器５の一部を構成する背面側熱交換器５ｂ間に配され、上部吸込口２ｂから吸い込まれる被調和空気に含まれる埃を除去する。
【００２０】
また、エアフィルタ４に対向して、エアフィルタ清掃ユニット８が配され、さらに、横流ファン６に対向してファン清掃ユニット７が配される。
【００２１】
エアフィルタ清掃ユニット８は、ファン清掃ユニット７と共に移動を行う移動装置９と、エアフィルタ清掃ユニット８で除去された埃を室外に排出するための、排気装置１０及び排気ダクト１１との組み合わせでエアフィルタ清掃装置を構成する。
【００２２】
エアフィルタ清掃ユニット８は、エアフィルタ４に付着した挨を除去例えば掻き取るもので、エアフィルタ４と同様に側面視Ｌ字形状をなし、エアフィルタの垂直部４１に付着した挨を掻き取る清掃ユニットの垂直部８１と、エアフィルタの水平部４２に付着した挨を掻き取る清掃ユニットの水平部８２からなる。
【００２３】
図４〜図５に示すように、清掃ユニット８は、垂直部８１と水平部８２の外郭を、長方体中空状の側面視Ｌ字形状に形成されるケース垂直部８１ａ、ケース水平部８２ａで構成する。
【００２４】
清掃ユニットの垂直部８１は、ケース垂直部８１ａにブラシ用開口８１ｂ１が設けられ、内部に、長手方向に沿って埃除去手段である埃掻き取り具としてのブラシ８１ｃを収容する埃除去部８１ｂと、この埃除去部８１ｂに隣接して連通し、空気取入口８１ｄ１を備え除去した埃を収容する空間を形成する埃収容部８１ｄが設けられ、上記ブラシ８１ｃが回転可能に軸受部材８１ｅと駆動用モータ８１ｇ間に軸支されている。
【００２５】
また、清掃ユニットの水平部８２は、ケース水平部８２ａにブラシ用開口８２ｂ１が設けられ、内部に、長手方向に沿って埃除去手段である埃掻き取り具としてのブラシ８２ｃを収容する埃除去部８２ｂと、この埃除去部８２ｂに隣接して連通し、空気排出口８２ｄ１を備え除去した埃を収容する空間を形成する埃収容部８２ｄが設けられ、上記ブラシ８２ｃが回転可能に軸受部材８２ｅと駆動用モータ８２ｇ間に軸支されている。
【００２６】
ファン清掃ユニット７は、ケース垂直部８１ａから一体的にアーム７ａが延設され、このアーム７ａの先端には例えば図７に示す幅方向に短い細長の板状ブラシあるいは図８に示すリング状ブラシなどのファン用埃除去具７ｂが取付けられる。このファン用埃除去具７ｂは、エアフィルタ清掃装置とともに移動を行う移動装置９と、ファン清掃ユニット７で除去された埃を室外に排出するための、排気装置１０及び排気ダクト１１との組み合わせでファン清掃装置を構成する。
【００２７】
また、図２に示すように、移動装置９は、室内機本体２の長手方向に沿って、この室内機本体２に取り付けたボールねじ９ａと、室内機本体２に取り付けられ、ボールねじ９ａを回転駆動するねじ駆動モータ９ｂ及び室内機本体２にその長手方向に沿って取り付けた案内溝９ｃを備える。
【００２８】
エアフィルタ清掃ユニット８の垂直部８１と水平部８２の交点近傍に設けたねじ部材９ｄに、ボールねじ９ａを螺合させ、水平部８２の端部に設けた案内ピン９ｅを案内溝９ｃに摺動可能に溝係合し、エアフィルタ４を支持する室内機本体２のアングル部２ｄの裏面とアーム７ａの屈折部７ａ１と摺動自在に当接させて、ねじ駆動モータ９ｂを駆動させることで、ボールねじ９ａを介して、エアフィルタ清掃ユニット８及びファン用埃除去具７ｂを水平移動させる。
【００２９】
図９に示すように、室内機本体２の電気部品収納箱１４の設置位置と反対側の側部に配される排気装置１０は、この排気装置１０の吸込口１０ａと対向する横流ファン６の側面空間６ｂが連通し、さらに、排気装置１０とエアフィルタ清掃ユニット８の埃収容部８１ｄ、８２ｄとの連通時、埃収容部８１ｄの空気取入口８１ｄ１と排気装置１０の吐出口１０ｂが連通し、埃収容部８２ｄの空気排出口８２ｄ１と排気ダクト１１の接続口１１ａが連通し、横流ファン６のブレード６ａ近傍の空気は、側面空間６ｂ及び吸込口１０ａを介して排気装置１０に吸い込まれ、排気装置１０の吐出口１０ｂ、埃収容部の空気取入口８１ｄ１、埃収容部８１ｄ、８２ｄ、埃収容部の空気排出口８２ｄ１、排気ダクト１１を介して室外に排出される。
【００３０】
エアフィルタ清掃ユニット８及びファン清掃ユニット７の不動作時は、エアフィルタ清掃ユニット８及びファン用埃除去具７ｂは、図２に点線で示す電気部品収納箱１４の前方の待機位置Ｐに待機する。なお、エアフィルタ清掃ユニット８には伸縮自由に巻回された配線（図示せず）によって給電される。
【００３１】
次にエアフィルタ清掃ユニット８の働きについて説明する。
【００３２】
図１〜図３に示すように、前部吸込口２ａ及び上部吸込口２ｂを通り、本体２内に吸い込まれた室内空気は、送風路３に配されたエアフィルタ４で埃が除去され、室内熱交換器５で空気調和され、横流ファン６を介して、吹出口２ｃから吹き出される。
【００３３】
このような空気調和運転が長時間行われ、エアフィルタ４、横流ファン６のブレード６ａに埃が溜まると、埃検出センサがこれを検知して、あるいは所定運転時間を演算して、横流ファン６を低速回転させる。さらに、待機位置Ｐ近傍にあるエアフィルタ清掃ユニット８の駆動モータ８１ｇを回転させてブラシ８１ｃを回転させ、図５に示すように、回転するブラシ８１ｃによりエアフィルタ垂直部４１の埃の除去を開始し、また、駆動モータ８２ｇを回転させ、図６に示すように、回転するブラシ８２ｃによりエアフィルタ水平部４２の埃の除去を開始する。これと同時に、ねじ駆動モータ９ｂを回転させてボールねじ９ａを回転させ、ねじ部材９ｄを介して、エアフィルタ清掃ユニット８を排気装置１０方向に水平移動し、エアフィルタ４の清掃を行ない、これと同時に、図３に示すように、ファン用埃除去具７ｂを横流ファン６のブレード６ａに当接させて横方向に移動し、横流ファン６のブレード６ａの埃を除去する。
【００３４】
ブラシ８１ｃ及びブラシ８２ｃによりエアフィルタ垂直部４１及びエアフィルタ水平部４２から除去された埃は、一時的にブラシ８１ｃ及びブラシ８２ｃの近傍に設けた埃収容部８１ｄ、埃収容部８２ｄに溜められる。一方、ファン用埃除去具７ｂは横流ファン６を清掃し、横流ファン６のブレード６ａに溜まった埃を除去する。
【００３５】
図９に示すように、エアフィルタ清掃ユニット８が水平移動を続行して、エアフィルタ清掃ユニット８が排気装置１０に当接する位置まで達すると、排気装置１０は回転を開始し、側面空間６ｂ近傍の空気は、ファン用埃除去具７ｂにより除去された埃と共に排気装置１０の吸込口１０ａから排気装置１０に吸い込まれ、吸込まれた空気は、排気装置１０の吐出口１０ｂから、埃収容部の空気取入口８１ｄ１介して埃収容部８１ｄ、８２ｄに送り込まれ、埃収容部８１ｄ、８２ｄに溜まった埃と共に、埃収容部の空気排出口８２ｄ１、排気ダクト１１を介して室外に排出される。
【００３６】
一連の埃除去動作が完了すると、エアフィルタ清掃ユニット８及びファン用埃除去具７ｂは待機位置Ｐに戻り、次の埃除去動作を待つ。エアフィルタ清掃ユニット８及びファン用埃除去具７ｂがエアフィルタ４及び横流ファン６の前方通風路を避けて待機するので、通風抵抗にならず、通風効率を高めることができる。
【００３７】
上記のような埃除去動作により、エアフィルタ４及び横流ファン６のブレード６ａに溜まった埃は同時に除去されて、自動的に清掃され、空気調和機の空気調和能力が維持される。
【００３８】
埃収容部の空気排出口８２ｄ１と排気ダクト１１を連通するので、排気装置１０の排気モード切り替により、横流ファン６のブレード６ａ及びエアフィルタ清掃ユニット８に溜まった埃を効率的に排出することができる。
【００３９】
エアフィルタ清掃ユニット８はユニット化され、このエアフィルタ清掃ユニット８に一体的に横流ファンのファン清掃ユニット７を設けるので、スペースの効率が向上する。
【００４０】
本第１実施形態の空気調和機の室内機によれば、自動的に室内送風機を構成する横流ファンの埃の除去を行うファン清掃装置及び自動的にエアフィルタの埃の除去を行うエアフィルタ清掃装置をスペース効率よく設けた空気調和機の室内機が実現される。
【００４１】
また、本発明の第２実施形態の空気調和機の室内機について説明する。
【００４２】
本第２実施形態は、第１実施形態がファン清掃装置及びエアフィルタ清掃装置を備えるのに対して、ファン清掃ユニットを単独で設ける。
【００４３】
例えば、図１０及び図１１に示すように、第２実施形態の空気調和機の室内機１Ａは、ファン清掃装置７Ａを備える。
【００４４】
このファン清掃ユニット７Ａはアーム７ａと、このアーム７ａ先端部に取り付けられたファン用埃除去具７ｂとから構成し、室内機本体の前方に設けた移動装置９により移動制御される。この移動機構は、アーム７ａの端部に設けたねじ部９ｅに移動装置９のボールねじ９ａを螺合し、このボールねじ９ａをねじ駆動モータ９ｂで回転させることにより、ファン用埃除去具７ｂを横流ファン６に沿って移動させ、この横流ファン６のブレード６ａに付着した埃を除去する。
【００４５】
これにより、横流ファンに付着したカビの胞子などの細菌や埃は除去されて、自動的に清掃される。
【００４６】
他の構成は図１に示す空気調和機の室内機と異ならないので、同一符号を付して説明は省略する。
【００４７】
さらにまた、本発明の第３実施形態の空気調和機の室内機について説明する。
【００４８】
本第３実施形態は、第２実施形態が室内機本体２の前方にファン清掃ユニット７Ａを設けるのに対して、室内機本体２の後方背面に設ける。
【００４９】
例えば、図１２に示すように、第３実施形態の空気調和機の室内機１Ｂは、ファン清掃ユニット７Ｂを備える。このファン清掃ユニット７Ｂはファン用埃除去具７ｂと、移動装置９からなり、ファン用埃除去具７ｂが取り付けられるアーム７ａが室内機本体２に設けたスリット状の貫通孔２ｅを貫通して移動自在に設置されたものである。その移動機構は、上記第２実施形態の空気調和機の室内機で説明した構成と同様である。このファン用埃除去具７ｂを横流ファン６に沿って移動させ、この横流ファン６のブレード６ａに溜まった埃を除去する。
【００５０】
これにより、横流ファンに溜まった埃は除去されて、自動的に清掃される。
【図面の簡単な説明】
【００５１】
【図１】本発明の第１実施形態の空気調和機の室内機の側断面図。
【図２】本発明の第１実施形態の空気調和機の前面パネルを外した室内機の本体の一部を切欠して示す斜視図。
【図３】本発明の第１実施形態の空気調和機の室内機のエアフィルタ清掃ユニット及び埃除去部の側断面斜視図。
【図４】本発明の第１実施形態の空気調和機の室内機に用いるエアフィルタ清掃ユニットの一部を切欠して示す側断面斜視図。
【図５】図４のＡ−Ａ線に沿う断面図。
【図６】図４のＢ−Ｂ線に沿う断面図。
【図７】本発明の第１実施形態の空気調和機の室内機に用いるファン用埃除去具の斜視図。
【図８】本発明の第１実施形態の空気調和機の室内機に用いる他の実施形態のファン用埃除去具の斜視図。
【図９】本発明の第１実施形態の空気調和機の室内機に用いるエアフィルタ清掃ユニット、ファン用埃除去具と排気装置の連通時の概念図。
【図１０】本発明の第２実施形態の前面パネルを外した空気調和機の室内機の斜視図。
【図１１】本発明の第２実施形態の空気調和機の室内機に用いるファン用埃除去具の斜視図。
【図１２】本発明の第３実施形態の空気調和機の室内機の側断面図。
【符号の説明】
【００５２】
１…空気調和機の室内機、２…室内機本体、３…送風路、４…エアフィルタ、５…室内熱交換器、６…横流ファン、７…ファン清掃ユニット、７ｂ…ファン用埃除去具、８…エアフィルタ清掃ユニット、８１…清掃ユニットの垂直部、８１ａ…ケース垂直部、８１ｂ…埃除去部、８１ｂ１…ブラシ用開口、８１ｃ…ブラシ、８１ｄ…埃収容部、８１ｄ１…埃収容部の空気取入口、８２…清掃ユニットの水平部、８２ａ…ケース水平部、８２ｂ…埃除去部、８２ｂ１…ブラシ用開口、８２ｃ…ブラシ、８２ｄ…埃収容部、８２ｄ１…埃収容部の空気排出口、９…移動装置、１０…排気装置、１１ａ…吸込口、１１ｂ…吐出口、１１…排気ダクト、１１ａ…接続口。
【図１】
2008051430.tif 000003
【図２】
2008051430.tif 000004
【図３】
2008051430.tif 000005
【図４】
2008051430.tif 000006
【図５】
2008051430.tif 000007
【図６】
2008051430.tif 000008
【図７】
2008051430.tif 000009
【図８】
2008051430.tif 000010
【図９】
2008051430.tif 000011
【図１０】
2008051430.tif 000012
【図１１】
2008051430.tif 000013
【図１２】
2008051430.tif 000014